(57)【要約】      （修正有）【課題】遊技者よる取外しの虞を低減して不正行為を有効に防止することができる上にメンテナンスの際には簡単な手順で着脱を行うことができ、幕板へのスピーカ配置の有無の両方の場合に対応することができる装飾プレートの取付け構造を提供する。【解決手段】この装飾プレート取付け構造１９は、パチンコ機２下部の幕板前面１７ａに、装飾面１８ａを有する装飾プレート１８を取り付ける構造１９であって、前面１７ａ又は装飾プレート裏面１８ｂの一方に突設配置されて上下に延び、その根元部１７ｅよりも先端部１７ｆが幅広の突状レール部１７ｄと、他方に形成されて上下に延び、その開口部１８ｄよりも座面部１８ｅが幅広のレール溝部１８ｃとを幕板１７の左右両端部１７ｂ，１７ｃの内側の対応位置に有し、突状レール部１７ｄとレール溝部１８ｃとの係合状態において、両者が上下方向に摺動可能でありかつ前後方向に分離不可能とされている。【選択図】図２
2009077872.tif 000002
【特許請求の範囲】
【請求項１】
正面視略長方形とされた遊技機の下部に配置された幕板の前面に、遊技者から視認可能とされた装飾面を有する装飾プレートを取り付ける装飾プレート取付け構造であって、
前記幕板前面又は前記装飾プレート裏面の一方に突設配置されて上下に延び、その根元部よりも幅広とされた幅広凸部を有する突状レール部と、
前記幕板前面又は前記装飾プレート裏面の他方に形成されて上下に延び、その開口部よりも幅広とされた幅広凹部を有して前記突状レール部に係合可能なレール溝部と、を前記幕板の左右両端部の内側であって各々対応する位置に有し、
前記突状レール部と前記レール溝部との係合状態において、両者が上下方向に移動可能でありかつ前後方向に分離不可能である装飾プレート取付け構造。
【請求項２】
前記遊技機の前面枠が、前記幕板の上方において前記遊技機本体に対して揺動開閉可能とされ、かつ該前面枠の開状態では前記装飾プレートの上方移動が許容されて前記装飾プレートが前記幕板から取外し可能であり、前記前面枠の閉状態では前記装飾プレートの上方移動が該前面枠により規制されて該装飾プレートを前記幕板から取外し不可能である請求項１に記載の装飾プレート取付け構造。
【請求項３】
前記遊技機の前面枠が前記幕板の上方に配置されるとともに前記幕板及び前記装飾プレートが前記遊技機本体に対して揺動開閉可能とされ、かつ前記幕板及び前記装飾プレートの開状態では前記装飾プレートの上方移動が許容されて前記装飾プレートを前記幕板から取外し可能であり、前記幕板及び前記装飾プレートの閉状態では前記装飾プレートの上方移動が該前面枠により規制されて該装飾プレートを前記幕板から取外し不可能である請求項１に記載の装飾プレート取付け構造。
【請求項４】
前記幕板の前面に前記突状レール部又は前記レール溝部のいずれか一方が複数配置されるとともに前記装飾プレートの裏面に前記突状レール部又は前記レール溝部のいずれか他方が１つ配置され、かつ前記幕板前面の面積よりも前記装飾プレートの装飾面の面積が小面積とされ、前記幕板前面に複数の前記装飾プレートが取付け可能である請求項１から請求項３のうちいずれか１項に記載の装飾プレート取付け構造。
【請求項５】
前記幕板の前面にスピーカ取付け用開口及びスピーカ取付け部が形成され、かつ該スピーカ取付け用開口に対応してその前方に配置される装飾プレートにスピーカ用開口が形成されている請求項４に記載の装飾プレート取付け構造。
【請求項６】
前記装飾プレートが前記スピーカ取付け部の前方を覆うことにより、前記装飾プレートの前方からの前記スピーカ取付け部への接触を遮断している請求項５に記載の装飾プレート取付け構造。
【請求項７】
遊技媒体を用いた遊技を実現する遊技装置体と、
該遊技装置体が遊技者にとって視認可能となるように保持する枠体と、
前記前面枠と、
前記遊技装置体に対して一定距離以上離間して配置された前面透明板と、
前記遊技媒体を貯留するための貯留皿と、
前記遊技機の下方に配置される前記幕板と、
該幕板の前面に取り付けられる前記装飾プレートと、
請求項２から請求項６のうちいずれか１項に記載の装飾プレート取付け構造と、を有する遊技機。
【発明の詳細な説明】
【技術分野】
【０００１】
本発明は、装飾プレート取付け構造及び遊技機に係り、特に遊技機の下部に配置された幕板の前面に、様々なデザインを施すことによる遊技演出機能や取扱い説明等の情報を記載することによる情報表示機能を発揮する装飾プレートを着脱容易に取り付ける装飾プレート取付け構造等に関する。
【背景技術】
【０００２】
パチンコ機においては、弾球された球が遊技領域（遊技盤面上又はその近傍に形成された領域であって、球の流下による遊技や演出を実現するための領域。）を流下して、その流下の過程で球が遊技領域内のゲージ（障害釘ともいう。）や羽根車に衝突しつつ転回して流下方向が変化する。その結果、遊技領域上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむのである。
【０００３】
このパチンコ機の前面下方には、一般に、球を貯留するための貯留皿が配置されている。そして、遊技者の持ち球や景品球として払い出された球が、その貯留皿に貯留されるようになっている。遊技者が遊技を終了する際には、貯留皿の更に下方に位置するドル箱へと球を落下排出させる。そのドル箱を載置するためのドル箱載置台が、パチンコ機を設置するための島設備に設けられている。
【０００４】
貯留皿からその下方に位置するドル箱に球を落下排出するために、貯留皿の下方からドル箱載置台までの寸法は概ねドル箱の高さ分以上の寸法が必要となる。したがって、パチンコ機においては貯留皿の更に下方に幕板が配置されている。
【０００５】
この幕板は、上記のように球の落下排出のためのスペーサとしての機能を有している。更に加えて、最近ではこの幕板部分に装飾的なデザインを施したり、音声演出のためのスピーカを配置したりしている。そして、その装飾性を更に向上させるべく、幕板前面の装飾を簡単に変更可能とするために、幕板前面の装飾部材を交換可能とする提案がされている（例えば、特許文献１，２を参照。）。
【０００６】
【特許文献１】特開２００１−１５２２３５号公報
【特許文献２】特開２００３−３４００７８号公報
【発明の開示】
【発明が解決しようとする課題】
【０００７】
しかしながら、上記特許文献１に開示のものは、単に孔と軸とによる前後方向の嵌合を利用して幕板前面の装飾部材を取り付けているので、遊技者が前方（すなわち、遊技者にとって手前方向。）に引っ張ると簡単に装飾部材が外れてしまう。装飾部材がそのまま持ち去られてしまったり、装飾部材の奥の幕板からパチンコ機内部に不正な異物が侵入されたりする可能性があり、不正行為を有効に防止することが難しい。また、装飾部材の奥の幕板にスピーカが配置されている場合には、そのスピーカが破壊されてしまう場合もある。
【０００８】
他方、特許文献２に開示のものは、装飾部材を周囲の張り出し部やフランジ部で押さえているが、これによれば、装飾部材を手前方向に撓ませつつ着脱するので、遊技者によって取り外される可能性を排除できないだけでなく、ホール員が装飾部材を取り外す際の手順も煩雑となる。
【０００９】
本発明は、上記の事情に鑑みて為されたもので、幕板の前面に装飾プレートを取り付ける構造であって、遊技者による取外しの虞を低減して不正行為を有効に防止することができるにも拘わらず、メンテナンスの際に簡単な手順で着脱を行うことができ、しかも、幕板へのスピーカ配置の有無の両方の場合に対応することができる装飾プレートの取付け構造を提供することを例示的課題とする。
【課題を解決するための手段】
【００１０】
上記の課題を解決するために、本発明の例示的側面としての装飾プレート取付け構造は、正面視略長方形とされた遊技機の下部に配置された幕板の前面に、遊技者から視認可能とされた装飾面を有する装飾プレートを取り付ける装飾プレート取付け構造であって、幕板前面又は装飾プレート裏面の一方に突設配置されて上下に延び、その根元部よりも幅広とされた幅広凸部を有する突状レール部と、幕板前面又は装飾プレート裏面の他方に形成されて上下に延び、その開口部よりも幅広とされた幅広凹部を有して突状レール部に係合可能なレール溝部と、を幕板の左右両端部の内側であって各々対応する位置に有し、突状レール部とレール溝部との係合状態において、両者が上下方向に移動可能でありかつ前後方向に分離不可能であることを特徴とする。
【００１１】
幕板前面に装飾面を有する装飾プレートを取り付けるので、遊技機に対して装飾的な遊技演出を付加することができる。この装飾面に、例えば遊技方法の手順や遊技演出の説明等を記載しておけば、装飾面を情報表示面として機能させることもできる。その装飾プレートを上下方向にスライド移動させるだけで簡単に着脱することができるので、装飾面の変更を簡単な作業により行うことができる。
【００１２】
装飾プレートの着脱交換により装飾面の変更を簡単に行うことができるので、特定の遊技機に取り付けられた装飾プレートを他の遊技機へと流用したり、特定の遊技機における装飾プレートを他の装飾プレートに変更したりすることができる。例えば、遊技盤を交換して遊技機の装飾態様を変更するいわゆる模様替えを行う際に、幕板ごと枠全体を交換しなくとも、遊技盤と共に装飾プレートを交換すれば遊技機全体の装飾態様を変更することができる。したがって、模様替えの度に遊技機本体の枠体を交換する必要がなくなり、枠体の流用化によって枠体の長期利用を可能とすることができ、リサイクル適性の向上を図って省資源化に寄与することができる。
【００１３】
上下方向へのスライド移動によって着脱することができるが、装飾プレートを前方に取り外すことができないようになっているので、遊技者が不用意に装飾プレートを取り外してしまうことがない。したがって、装飾プレートの盗難や幕板からの異物侵入等の不正行為を有効に防止することができる。
【００１４】
突状レール部とレール溝部とが、装飾プレートの左右両端部（左右両辺部）近傍でなくその内側に位置しているので、幕板と装飾プレートとの係合をより確実かつ強固に行うことができる。幕板前面と装飾プレートとの係合を適宜間隔の複数箇所行うことにより、装飾プレートの浮きや変形を防止して見栄えを向上させることができる。
【００１５】
例えば、装飾プレートの両端をガイドレールに挿入する取付け構造では、ガイドレールの挿入幅寸法によって装飾プレートの厚さが制約され、異なる厚さの装飾プレートを使用すると、ガイドレールに入らなかったりガタツキが生じてしまう等の問題が発生する。特に幕板にスピーカが配置されている場合は、そのガタツキがビビリ音となってしまい、音質劣化の原因となる。
【００１６】
しかし、本取付け構造によれば、装飾プレートの厚さに影響されないので、種々の厚さの装飾プレートを取り付けることができる。例えば、幕板にスピーカを取り付ける場合と取り付けない場合とで異なる装飾プレート厚さとする必要がある場合であっても、本取付け構造によれば、両方の厚さの装飾プレートを問題なく取り付けることができるので、スピーカの有無の両方の場合に対応することができる。
【００１７】
なお、ここで「前」は遊技ホール等に設置された状態における遊技機から遊技者に向かう方向を意味し、「後」は逆に遊技者から遊技機に向かう方向を意味する。したがって、「前方」は遊技者にとって「手前側」であり、「後方」は遊技者にとって「奥側」である。また、「上」「下」は同状態における「上」「下」を意味する。
【００１８】
遊技機の前面枠が、幕板の上方において遊技機本体に対して揺動開閉可能とされ、かつ前面枠の開状態では装飾プレートの上方移動が許容されて装飾プレートが幕板から取外し可能であり、前面枠の閉状態では装飾プレートの上方移動が前面枠により規制されて装飾プレートを幕板から取外し不可能であってもよい。
【００１９】
遊技機の前面枠が閉状態のときには前面枠によって装飾プレートの上方移動が規制されるので、通常の使用状態、すなわち遊技状態では装飾プレートを幕板から取り外すことができない。したがって、遊技者によって装飾プレートが取り外されてしまう虞がない。一方、前面枠が開状態のときには前面枠が邪魔にならずに装飾プレートの上方移動が許容されるので、ホール員等によるメンテナンスの際には装飾プレートを簡単に上方へスライド移動させて取り外すことができる。
【００２０】
遊技機の前面枠が幕板の上方に配置されるとともに幕板及び装飾プレートが遊技機本体に対して揺動開閉可能とされ、かつ幕板及び装飾プレートの開状態で装飾プレートの上方移動が許容されて装飾プレートが幕板から取外し可能であり、幕板及び装飾プレートの閉状態で装飾プレートの上方移動が前面枠により規制されて装飾プレートを幕板から取外し不可能であってもよい。
【００２１】
揺動開閉可能とされた幕板及び装飾プレートが閉状態のときには前面枠によって装飾プレートの上方移動が規制されるので、通常の使用状態、すなわち遊技状態では装飾プレートを幕板から取り外すことができない。したがって、遊技者によって装飾プレートが取り外されてしまう虞がない。一方、幕板及び装飾プレートが開状態のときには前面枠が邪魔にならずに装飾プレートの上方移動が許容されるので、ホール員等によるメンテナンスの際には装飾プレートを簡単に上方へスライド移動させて取り外すことができる。
【００２２】
なお、幕板及び装飾プレートの揺動開閉は、遊技機本体に対する揺動開閉を実現するための軸支部が幕板側に設けられていてもよいし、装飾プレート側に設けられていてもよい。軸支部が幕板側に設けられていれば装飾プレートを種々交換する作業を簡単に行うことができ、装飾プレート側に設けられていれば幕板を例えばスピーカ無しのものからスピーカ有りのものに変更する作業を簡単に行うことができる。
【００２３】
幕板の前面に突状レール部又はレール溝部のいずれか一方が複数配置されるとともに装飾プレートの裏面に突状レール部又はレール溝部のいずれか他方が１つ配置され、かつ幕板前面の面積よりも装飾プレートの装飾面の面積が小面積とされ、幕板前面に複数の装飾プレートが取付け可能であってもよい。
【００２４】
この構成により、複数に分割された装飾プレートが幕板前面に取り付けられることとなる。そして、その各々の装飾プレートがこの取付け構造を有して幕板前面に確実に取り付けられている。これにより、幕板前面のデザインを部分的に交換することができ、新たな遊技演出性を付加することができる。また、幕板前面の全体を装飾プレートで覆うのでなく幕板前面の一部のみに装飾プレートを取り付けることもできる。それにより、遊技者が見易い位置に遊技方法の手順等を情報表示させ、それ以外の部分に装飾プレートを取り付けないようにすることができ、効果的な情報表示と部品コストの低減を両立させることができる。
【００２５】
また、幕板にスピーカが配置されていない場合に幕板前面の全体に装飾プレートを取り付け、幕板にスピーカが配置されている場合にスピーカに対応する部分の装飾プレートのみを取り外すことができる。したがって、スピーカ有りの幕板用及びスピーカ無しの幕板用にそれぞれ対応する別々の装飾プレートを準備する必要がない。
【００２６】
幕板の前面にスピーカ取付け用開口及びスピーカ取付け部が形成され、かつスピーカ取付け用開口に対応してその前方に配置される装飾プレートにスピーカ用開口が形成されていてもよい。
【００２７】
幕板にスピーカが配置されている場合に、そのスピーカに対応する部分にスピーカ用開口が形成された装飾プレートを使用することができるので、スピーカからの音声が装飾プレートによって殆ど遮断されることがなく、音量や音質の劣化を最小限に抑えることができる。スピーカ有りの幕板の場合にスピーカ位置に対応する部分にのみこのスピーカ用開口が形成された装飾プレートを使用し、スピーカ無しの幕板の場合に同部分に開口形成のない装飾プレートを使用することができる。このスピーカ用開口は、もちろん、スピーカの振動板全体の面積に対応する大きさの開口であってもよいし、振動板保護のために多数形成された小径の孔であってもよい。
【００２８】
更に、スピーカに対応して幕板にバスレフレックス（バスレフ）用の空気孔が形成されている場合に、その空気孔に対応する部分にもスピーカ用開口が形成された装飾プレートを使用することもできる。それにより、バスレフにより強化された重低音を殆ど劣化させることなく、迫力のある音質を実現することができる。
【００２９】
装飾プレートがスピーカ取付け部の前方を覆うことにより、装飾プレートの前方からのスピーカ取付け部への接触を遮断していてもよい。
【００３０】
スピーカ取付け部の前方が装飾プレートによって覆われているので、遊技者が前方からこのスピーカ取付け部にアクセスすることができない。したがって、幕板へのスピーカの取付けを前方からの取付けとしても、遊技者によるスピーカの取外し等の不正行為を有効に防止することができるので、スピーカの取付け作業が簡単になり、取付け作業効率が向上する。
【００３１】
本発明の他の例示的側面としての遊技機は、遊技媒体を用いた遊技を実現する遊技装置体と、遊技装置体が遊技者にとって視認可能となるように保持する枠体と、前面枠と、遊技装置体に対して一定距離以上離間して配置された前面透明板と、遊技媒体を貯留するための貯留皿と、遊技機の下方に配置される幕板と、幕板の前面に取り付けられる装飾プレートと、上記の装飾プレート取付け構造と、を有することを特徴とする。
【００３２】
この遊技機は、上記の装飾プレート取付け構造を有しているので、貯留皿下方の幕板の前面のデザインを様々に簡単に変更することができる。したがって、同一の遊技機においてもその装飾的演出を変更することができ、遊技者に対する印象を様々に変えることができる。また、遊技装置体の交換に合わせて装飾プレートを交換することにより、両者のデザインの統一感を維持することができる。
【００３３】
幕板前面のデザイン交換を装飾プレートの簡単な着脱により実現することができ、かつ遊技者による装飾プレートの取外しを困難にすることができるので、交換作業性の向上と不正防止効果の向上を両立させることができる。また、装飾プレートと幕板前面との確実かつ強固な係合により装飾プレートの浮き等を防止し、見栄えを向上させることができる。さらに、幕板へのスピーカの設置の有無に拘わらず、装飾プレートの着脱を簡単に行うことができる。
【００３４】
本発明の更なる目的又はその他の特徴は、以下添付図面を参照して説明される好ましい実施の形態によって明らかにされるであろう。
【発明の効果】
【００３５】
本発明によれば、遊技機の下方に位置する幕板の前面において、デザインによる遊技演出機能や情報表示機能を発揮する装飾面を有する装飾プレートを、遊技者による取外しを防止しつつ、簡単な手順で着脱することができる。しかも、幕板におけるスピーカ配置の有無の双方の場合に対応することができる。
【発明を実施するための最良の形態】
【００３６】
［実施の形態１］
以下、本発明の実施の形態１について図面を用いて説明する。図１は、本発明の実施の形態１に係る遊技機としてのパチンコ機２の外観斜視図である。このパチンコ機２は、枠体３、遊技盤（遊技装置体）６、図柄表示装置７、装飾枠（前面枠）１２、前面ガラス（前面透明板）１０、発射ユニット（不図示）、貯留皿１４、幕板ユニット１６を有している。
【００３７】
なお、遊技機は、パチンコ機２の他にパチスロ機、パロット機、スロットマシン、アーケードマシン、各種ゲーム機を概念することができ、要するに、正面視略長方形状とされてその下部に幕板が配置されるあらゆる遊技機が含まれる。パチンコ機２においても、アレンジボール機、雀球機等の組合せ式パチンコ機、いわゆるセブン機等の景品球払出し式パチンコ機等のあらゆるパチンコ機が概念できるが、本実施の形態１においては、景品球払出し式のいわゆるセブン機について例示説明する。
【００３８】
ただし、例えばパチスロ機の場合は回胴体が遊技装置体に該当し、機枠や図柄表示装置を有さない等、遊技機がパチンコ機２以外の場合は、全体構成が本実施の形態１で説明するものと若干異なる。
【００３９】
パチンコ機２の枠体３は、遊技装置体としての遊技盤６を保持するためのもので、このパチンコ機２の周囲又は周囲及び後方を囲むように構成される。枠体３の内部には、遊技盤６の他にも各種電子基板や遊技媒体用の経路等各種機構部品が配置され、枠体３によって周囲側面、又は周囲側面及び後方面からのパチンコ機２内部への不正アクセスが防止されるようになっている。
【００４０】
例えば、最後方に配置されてパチンコ機２の周囲を囲む筐体枠４、その前方にヒンジ部（揺動支持部）２２によって前方開閉可能に揺動支持されて遊技者にとって視認可能となるように遊技盤６を保持する機枠９とを有して枠体３が構成される。なお、パチスロ機等の遊技機の場合においては、筐体枠４と機枠９との２つによって枠体３が構成されるのでなく筐体枠４のみによって枠体３が構成され、その筐体枠４が遊技装置体としての回胴装置を保持してその周囲、又は周囲及び後方を囲んでいる。
【００４１】
なお、装飾枠１２は、パチンコ機２の前方を囲んでいる。その中央近傍に後述する前面ガラス１０が取り付けられる中央開口を有し、その中央開口を通して遊技者が遊技盤６を視認することができるようになっている。装飾枠１２は、機枠９とともにヒンジ部２２によって揺動支持され、機枠９に対して前方開閉可能とされている。その閉鎖状態において、前面ガラス１０と協働してパチンコ機２の前方を塞ぎ、前方からのパチンコ機２の内部への不正アクセスを防止している。
【００４２】
遊技盤６は、このパチンコ機２において、遊技媒体としての球（パチンコ球）２３の流下による遊技を実現するためのものである。遊技盤６の表面（遊技盤面）６ａには、遊技盤面６ａを略円形状に囲み、かつその内側面（内周面）２６ａによって遊技領域６ｂを画定するレール飾り２６が取り付けられている。そして、その遊技領域６ｂ内には、遊技に一層の演出性を付加するための図柄表示装置７、ゲージ２７、普通入賞口２８、特別入賞口２８ａ、始動入賞口２９、大入賞口２９ａ、アウト口３０、その他の各種役物（例えば、羽根車等。）等が配置されている。
【００４３】
図柄表示装置７は、例えば、液晶表示装置・有機ＥＬディスプレイ・ＬＥＤ等により構成されてパチンコ機２の前方から視認可能に設けられ、その表示画面（映像表示面）７ａ上に映像表示を行う。この表示画面７ａ上には、例えば、３桁の数字又は文字等により構成される表示図柄７ｂが回転又は停止するように映像として表示される。また、例えば、キャラクター等によるストーリー仕立ての映像としての演出映像７ｃも表示画面７ａ上に表示されるようになっている。球２３の始動入賞口２９への入賞に起因して、図柄表示装置７の表示図柄７ｂが回転表示を開始し、その表示図柄７ｂが所定の図柄（例えば、大当たりに対応する「７・７・７」。）で停止表示すれば、大入賞口２９ａが開放して多量の入賞球の受入れ及び多量の景品球の払出しが行われるようになっている。
【００４４】
前面ガラス１０は、遊技盤６に対して一定距離以上離間して配置された透明板である。前面ガラス１０は透明平板ガラスで形成されて装飾枠１２に保持され、遊技盤６との間に球２３が流下する流下空間を形成する機能、遊技者が前面ガラス１０を通して遊技盤６を視認できるように視認性を確保する機能、遊技者が遊技盤６に不正にアクセス（接触）できないように不正アクセスを防止する機能、を発揮する。
【００４５】
発射ユニットは、球供給装置（不図示）によって貯留皿１４の一部としての上皿１４ａから発射位置に送り出された球２３を遊技領域６ｂの上部に向けて発射（弾球）するためのものである。発射ユニットは、例えば発射位置の球２３を弾球する発射杆、その発射杆を駆動する発射モータ、発射杆を付勢して弾球力を発生させる発射バネ等を有してユニット構成され、機枠９に取り付けられている。その発射ユニットによる球発射のため、遊技者の操作に基づいて球発射のオンオフ及びその発射強度調整を実現する発射ハンドル１５がパチンコ機２の前面右側に設けられている。
【００４６】
貯留皿１４は、遊技者の持ち球を貯留するためにパチンコ機２の前面に配置された皿部材であって、本実施の形態１においては上皿１４ａと下皿１４ｂとを有している。上皿１４ａは、球排出ボタン１４ｃを有してパチンコ機２の前面側であって遊技盤６の下方に配置され、下皿１４ｂは、その上皿１４ａの更に下方に球排出ボタン１４ｄを有して配置されている。
【００４７】
本実施の形態１においては、上皿１４ａ及び下皿１４ｂは装飾枠１２の前面側下方部分に取り付けられている。しかしながら、上皿１４ａ及び下皿１４ｂが、装飾枠１２の下方に独立して揺動可能に配置され、装飾枠１２とは別体とされた皿枠（不図示）に取り付けられていてもよい。
【００４８】
図２は、このパチンコ機２における幕板ユニット１６の概略構成を説明するための説明図である。この図２においては、筐体枠４の前方に配置される機枠９及び装飾枠１２の図示を省略しているが、機枠９及び装飾枠１２は、上下のヒンジ部２２によって挟持され、前方に揺動可能に支持されている。また、説明を省略する他の構成についても図示を省略している。筐体枠４の上下方向寸法は、機枠９や装飾枠１２の上下方向寸法よりも下方側に延長して形成されている。その装飾枠１２の下方、すなわち、筐体枠４の下方延長部分に幕板ユニット１６が配置されている。
【００４９】
幕板ユニット１６は、図２に分解して示すように、幕板１７と装飾プレート１８とを有している。図３は、この幕板ユニット１６を水平面で切断して示す水平断面図である。
【００５０】
幕板１７は、例えば木製、樹脂製又は金属製の板状部材であり、その幅が筐体枠４の幅と大略同寸法とされて正面視略長方形状とされ、筐体枠４の下方に取り付けられている。そして、筐体枠４の前面下部、すなわち装飾枠１２の下方部分を遮蔽する。この幕板１７の前方にドル箱（不図示）を位置させることにより、上方の下皿１４ｂから球排出ボタン１４ｄによって排出された球２３をドル箱内に落下させることができるようになっている。
【００５１】
幕板１７の前面１７ａの左右両端部１７ｂ，１７ｃより内側には、２箇所に突状レール部１７ｄが配置されている。この突状レール部１７ｄは、前面１７ａに突設配置されており、上下方向（図２中Ｘ方向）に延びるように形成されている。そして、その根元部１７ｅよりも先端部（幅広凸部）１７ｆが幅広とされている。
【００５２】
なお、本実施の形態１においては、幕板１７の左右方向（幅方向）寸法は、ヒンジ部２２を考慮して筐体枠４の左右方向（幅方向）寸法よりも若干短縮されている。すなわち、幕板１７は、ヒンジ部２２を回避してその左端部１７ｂが若干内側にオフセットされており、装飾枠１２開放時の装飾プレート１８の交換性向上に寄与している。
【００５３】
一方、装飾プレート１８は、遊技者に対して装飾的演出を行ったり、情報表示を行ったりするための板状部材であり、例えば、木製、樹脂製又は金属製である。その装飾機能や情報表示機能を発揮する装飾面（表面）１８ａを遊技者から視認可能な位置に有して、装飾プレート１８は幕板１７の前面１７ａに取り付けられている。本実施の形態１においては、装飾プレート１８は正面視略長方形状とされ、幕板１７と略同形状かつ略同面積とされている。
【００５４】
装飾プレート１８の裏面１８ｂには、突状レール部１７ｄに対応する位置に各々レール溝部１８ｃが形成されている。このレール溝部１８ｃは上下方向（図２中Ｘ方向）に延びるように裏面１８ｂから溝状に座ぐり形成され、その裏面１８ｂ上の開口部１８ｄよりも座面部（幅広凹部）１８ｅが幅広とされている。このレール溝部１８ｃと突状レール部１７ｄとを有して、装飾プレート取付け構造１９が構成されている。
【００５５】
このレール溝部１８ｃを突状レール部１７ｄに嵌合させつつ装飾プレート１８を幕板１７の上方から下方に向けてスライドさせることにより、装飾プレート１８と幕板１７とが確実に係合される。この状態において、装飾プレート１８を前方（図２中Ｙ方向）に引き出そうとしても、幕板１７の前面１７ａから装飾プレート１８が分離されることはない。
【００５６】
なお、装飾枠１２の閉鎖時（閉状態）においては、装飾枠１２の下端部分が装飾プレート１８の上方移動を規制しているので、装飾プレート１８を上方にスライド移動させることができない。したがって、通常遊技時には遊技者等が装飾プレート１８を幕板１７から取り外すことができない構成となっている。
【００５７】
また、本実施の形態１においては、幅広凸部が先端部１７ｆとされ、幅広凹部が座面部１８ｅとされているが、もちろん、幅広凸部が突状レール部１７ｄの先端部分に形成され、幅広凹部がレール溝部１８ｃの座面部分に形成されている場合に限られない。幅広凸部が突状レール部１７ｄの根元部分でなく、かつ、幅広凹部がレール溝部１８ｃの先端部分でなければ、両者は互いに対応する位置に形成されていればよく、突状レール部１７及びレール溝部１８ｅの各々の前後方向における中間的な位置であってもよい。
【００５８】
一方、装飾枠１２の開放時（開状態）においては、図４にその上面図を示すように装飾枠１２が装飾プレート１８の上方から退避した位置に移動するので、装飾プレート１８の上方への移動が許容されることとなる。したがって、メンテナンス時にはホール員等が装飾枠１２を開放し、装飾プレート１８を上方にスライド移動させて簡単に幕板１７から取り外すことができる構成となっている。
【００５９】
この装飾プレート取付け構造１９によれば、装飾プレート１８の厚さ寸法（Ｙ方向寸法）に影響を受けることなく、装飾プレート１８を幕板１７に取り付けることができる。したがって、様々な厚さの装飾プレート１８を使用することができる。例えば、幕板１７の前面１７ａにスピーカ等の構成部材が取り付けられる場合には、前面１７ａから突出するスピーカ部分の厚さ寸法を考慮して厚さの薄い装飾プレート１８を使用し、スピーカが取り付けられない場合には、上記の突出部分の厚さ寸法に相当する分だけ厚さの厚い装飾プレート１８を使用することにより、スピーカの有無に拘わらず装飾プレート１８の装飾面１８ａの前後位置を一定にすることができる。
【００６０】
［実施の形態２］
図５は、本発明の実施の形態２に係る装飾プレート取付け構造１９の概略構成を説明する説明図である。図５は、この装飾プレート取付け構造１９を有するパチンコ機２の幕板ユニット１６部分を上方から拡大して示す部分拡大上面図である。
【００６１】
この装飾プレート取付け構造１９においては、幕板１７が軸支部１７ｇによって遊技機本体に対して揺動支持されており、軸支部１７ｇを中心として幕板ユニット１６全体が前方に揺動開閉可能とされている。ここで、遊技機本体は、例えば筐体枠４であってもよいし、機枠９であってもよいが、本実施の形態２においては、筐体枠４に対して幕板１７が軸支されている場合について説明する。
【００６２】
この実施の形態２においては、幕板ユニット１６の閉鎖時（閉状態）に装飾枠１２の下端部分が装飾プレート１８の上方移動を規制し、装飾プレート１８を上方にスライド移動させることができない。したがって、通常遊技時には遊技者等が装飾プレート１８を幕板１７から取り外すことができない。
【００６３】
しかしながら、図５中二点鎖線で示すように、幕板ユニット１６の開放時（開状態）に、幕板ユニット１６が装飾枠１２から退避した位置に移動するので、装飾プレート１８の上方への移動が許容されることとなる。したがって、メンテナンス時にはホール員等が装飾枠１２を開放し、装飾プレート１８を上方にスライド移動させて簡単に幕板１７から取り外すことができる構成となっている。
【００６４】
なお、軸支部１７ｇの位置とヒンジ部２２の位置とは上下に重複する位置であってももちろんよいが、この実施の形態２においては、軸支部１７ｇが例えばヒンジ部２２よりも前方に配置されている。そのため、幕板ユニット１６の開放時に幕板ユニット１６の幅方向の略すべての部分が装飾枠１２から退避した位置に移動することができるようになっている。したがって、幕板１７及び装飾プレート１８の幅方向の寸法を筐体枠４の幅方向の寸法よりも若干短縮する必要がなく、略一致する程度にまで拡大することができる。
【００６５】
［実施の形態３］
図６は、本発明の実施の形態３に係る装飾プレート取付け構造１１９の概略構成を説明する説明図である。図６は、装飾プレート取付け構造１１９を有するパチンコ機の幕板ユニット１１６部分の分解斜視図である。
【００６６】
この幕板ユニット１１６において、幕板１１７は中空構造とされた略直方体形状の部材であり、その前面１１７ａには正面視左側にスピーカ孔（スピーカ取付け用開口）１０３及び正面視右側にバスレフ用の空気孔１０４が形成されている。そのスピーカ孔１０３の周囲にはスピーカ取付け用のネジ孔（スピーカ取付け部）１０５が形成されており、スピーカ１０６のボイスコイル部１０６ａが前方からスピーカ孔１０３に挿入されつつそのケース部１０６ｂが前方からネジ１０５ａによってネジ孔１０５に取り付けられている。
【００６７】
幕板１１７の前面１１７ａにはスピーカ孔１０３に対応して正面視左側に左装飾プレート１１０、空気孔１０４に対応して正面視右側に右装飾プレート１１２が取り付けられ、中央には中央装飾プレート１１１が取り付けられている。各々の装飾プレート１１０〜１１２は各々１つずつのレール溝部１１０ｃ〜１１２ｃが形成され、各レール溝部１１０ｃ〜１１２ｃに対応して前面１１７ａには３箇所の突状レール部１１７ｄが配置されている。
【００６８】
各装飾プレート１１０〜１１２の装飾面１１０ａ〜１１２ａはいずれも前面１１７ａよりも小面積とされており、３つの装飾面１１０ａ〜１１２ａの合計面積が略前面１１７ａの面積とされている。すなわち、３つの装飾プレート１１０〜１１２が横一列に略隙間なく並んで前面１１７ａを覆っている。
【００６９】
左装飾プレート１１０には、多数の孔１１０ｆが形成されており、スピーカグリルとしての機能を発揮している。したがって、スピーカ１０６の振動板１０６ｃから発生する音声は音量や音質の劣化を最小限に抑えられて遊技者に至るようになっている。また、右装飾プレート１１２にも、多数の孔１１２ｆが形成されており、空気孔１０４からの空気振動を殆ど劣化させずに遊技者に伝達することができるようになっている。したがって、このパチンコ機１０２は、迫力のある音声や効果音を発生させることができる。
【００７０】
左装飾プレート１１０の孔１１０ｆは、振動板１０６ｃに対応する領域にのみ形成されている。ネジ孔１０５に対応する部分には孔１１０ｆが形成されておらず、ネジ孔１０５は左装飾プレート１１０によって前方から覆われており、その前方からの接触が遮断されている。したがって、スピーカ１０６が前方からネジ１０５ａによって幕板１１７に取り付けられる構成であっても、左装飾プレート１１０が幕板１１７に取り付けられている限り、遊技者によるスピーカ１０６の取外しは不可能とされている。
【００７１】
左装飾プレート１１０と右装飾プレート１１２とには、振動によるビビリ音の発生を防止するために、各裏面１１０ｂ，１１２ｂ側の周囲に沿って防振部材１１３が設けられている。そのため、左右装飾プレート１１０，１１３の厚さは、防振部材１１３の分だけ中央装飾プレート１１１の厚さよりも薄く形成されている。それにより、３つの装飾面１１０ａ〜１１２ａは略面一となっている。なお、この防振部材１１３は、例えば、ゴム、スポンジ、フェルト等の弾性材料（高分子材料、繊維材料を含む。）によって構成されており、振動を低減したりその伝達を抑制したりする効果を発揮するものである。
【００７２】
［変形例］
なお、この実施の形態３においては、幕板１１７にスピーカ１０６が取り付けられている場合について説明した。しかしながら、この幕板１１７にスピーカ１０６が取り付けられない場合には、左右装飾プレート１１０，１１２を、中央装飾プレート１１と同様のもの、すなわち孔１１０ｆ，１１２ｆが形成されておらず、防振部材１１３が取り付けられておらず、かつ、その厚さが中央装飾プレート１１１と同等の厚さのものに交換すればよい。
【００７３】
この場合においては、状況に応じて左右又は中央装飾プレート１１０〜１１２のうちのいずれかを遊技方法説明用プレートとして利用することができる。例えば、発射ハンドルに最も近い位置にある右装飾プレート１１２の装飾面１１２ａを情報表示面として利用し、そこに遊技方法の手順や遊技演出の説明を記載することにより、遊技者に利便性向上に資することができる。
【００７４】
このとき、左装飾プレート１１０や中央装飾プレート１１１の装飾面１１０ａ，１１１ａにも説明等の情報表示を行うことも可能であり、これらには遊技演出のための装飾デザインを施すことも可能であるが、これらの装飾プレート１１０，１１１を取り外して右装飾プレート１１２のみとし、前面１１７ａの一部にのみ装飾プレートが取り付けられている状態としてもよい。幕板１１７の前面１１７ａスペースを利用して必要な情報表示を行いつつ余分な装飾プレートを排除することにより、部品点数やコストの低減に寄与することができる。
【００７５】
以上、本発明の好ましい実施の形態を説明したが、本発明はこれらに限定されるものではなく、その要旨の範囲内で様々な変形や変更が可能である。
【図面の簡単な説明】
【００７６】
【図１】本発明の実施の形態１に係るパチンコ機の外観斜視図である。
【図２】図１に示すパチンコ機における幕板ユニットの概略構成を説明するための説明図であって、筐体枠の前方に配置される機枠と装飾枠とを開放状態で図示したものである。
【図３】図２に示す幕板ユニットを水平面で切断して示す水平断面図である。
【図４】図１に示すパチンコ機の幕板ユニット部分を上方から見た上面図であって、装飾枠の開状態を示す図である。
【図５】本発明の実施の形態２に係る装飾プレート取付け構造の概略構成を説明する説明図であって、この装飾プレート取付け構造を有するパチンコ機の幕板ユニット部分を上方から拡大して示す部分拡大上面図である。
【図６】本発明の実施の形態３に係る装飾プレート取付け構造の概略構成を説明する説明図であって、この装飾プレート取付け構造を有するパチンコ機の幕板ユニット部分の分解斜視図である。
【符号の説明】
【００７７】
Ｘ，Ｙ：方向
２：パチンコ機（遊技機）
３：枠体
４：筐体枠（枠体の一部）
６：遊技盤（遊技装置体）
６ａ：遊技盤面
６ｂ：遊技領域
７：図柄表示装置
７ａ：表示画面（映像表示面）
７ｂ：表示図柄
７ｃ：演出映像
９：機枠（枠体の一部）
１０：前面ガラス（前面透明板）
１２：装飾枠（前面枠）
１４：貯留皿
１４ａ：上皿
１４ｂ：下皿
１４ｃ，１４ｄ：球排出ボタン
１５：発射ハンドル
１６，１１６：幕板ユニット
１７，１１７：幕板（幕板ユニットの一部）
１７ａ：前面
１７ｂ：左端部
１７ｃ：右端部
１７ｄ，１１７ｄ：突状レール部（装飾プレート取付け構造の一部）
１７ｅ：根元部
１７ｆ：先端部（幅広凸部）
１７ｇ：軸支部
１８：装飾プレート（幕板ユニットの一部）
１８ａ，１１０ａ〜１１２ａ：装飾面（表面）
１８ｂ，１１０ｂ〜１１２ｂ：裏面
１８ｃ，１１０ｃ〜１１２ｃ：レール溝部（装飾プレート取付け構造の一部）
１８ｄ：開口部
１８ｅ：座面部（幅広凹部）
１９，１１９：装飾プレート取付け構造
２２：ヒンジ部（揺動支持部）
２３：球（パチンコ球）
２６：レール飾り
２６ａ：内側面（内周面）
２７：ゲージ
２８：普通入賞口
２８ａ：特別入賞口
２９：始動入賞口
２９ａ：大入賞口
３０：アウト口
３２：装飾部材
１０３：スピーカ孔（スピーカ取付け用開口）
１０４：空気孔
１０５：ネジ孔（スピーカ取付け部）
１０５ａ：ネジ
１０６：スピーカ
１０６ａ：ボイスコイル部
１０６ｂ：ケース部
１０６ｃ：振動板
１１０：左装飾プレート
１１０ｆ，１１２ｆ：孔
１１１：中央装飾プレート
１１２：右装飾プレート
１１３：防振部材
【図１】
2009077872.tif 000003
【図２】
2009077872.tif 000004
【図３】
2009077872.tif 000005
【図４】
2009077872.tif 000006
【図５】
2009077872.tif 000007
【図６】
2009077872.tif 000008